(57)【要約】      （修正有）【課題】照射装置の光を記録ヘッドの吐出面に入射しにくくすること。【解決手段】Ｙ方向に沿った第１端部８１と、Ｙ方向に交差するＸ方向に沿った第２端部８２とを有する媒体Ｍと、Ｘ方向に移動可能なキャリッジと、キャリッジに搭載され、媒体Ｍに光硬化性のインクを吐出する記録ヘッドと、キャリッジに搭載され、媒体Ｍに光を照射する光源を有する照射装置と、キャリッジをＹ方向に移動可能とする副走査移動機構と、媒体Ｍを支持する支持ステージ３と、第１端部８１に隣り合い、Ｙ方向に延在し支持ステージ３に支持される第１光調整部材２１と、を備え、第１光調整部材２１は、第１端部８１から遠ざかるに従い支持ステージ３から離れるように傾斜した第１斜面を有することを特徴とする。【選択図】図１
2019084802.tif 000002
【特許請求の範囲】
【請求項１】
第１方向に沿った第１端部と、前記第１方向に交差する第２方向に沿った第２端部とを有する媒体に画像を記録する記録装置であって、
前記第２方向に移動可能なキャリッジと、
前記キャリッジに搭載され、前記媒体に光硬化性のインクを吐出する記録ヘッドと、
前記キャリッジに搭載され、前記媒体に光を照射する光源を有する照射装置と、
前記媒体を支持する媒体支持部と、
前記第１端部に隣り合い、前記第１方向に延在し前記媒体支持部に支持される第１光調整部材と、
を備え、
前記第１光調整部材は、前記第１端部から前記第２方向に遠ざかるに従い前記媒体支持部から離れるように傾斜した第１斜面を有することを特徴とする記録装置。
【請求項２】
前記第１斜面は、前記光を正反射可能な光反射面、または前記光を吸収可能な光吸収面であることを特徴とする請求項１に記載の記録装置。
【請求項３】
前記光源の光軸は前記第１方向及び前記第２方向に交差する第３方向に沿って配置され、前記光源の指向角は２θ１であるとした場合、
前記媒体支持部に対する前記第１斜面の傾斜角θ２は、θ１／２から９０度までの範囲にあることを特徴とする請求項１または２に記載の記録装置。
【請求項４】
前記傾斜角θ２は、θ１／２から９０度までの範囲で変更可能であることを特徴とする請求項３に記載の記録装置。
【請求項５】
前記第１光調整部材は前記媒体支持部に対して着脱可能であることを特徴とする請求項１乃至４のうちいずれか１項に記載の記録装置。
【請求項６】
前記第１光調整部材は、前記第２方向に沿って複数配置されることを特徴とする請求項１乃至５のうちいずれか１項に記載の記録装置。
【請求項７】
前記第２端部に隣り合い、前記第２方向に延在し前記媒体支持部に支持される第２光調整部材をさらに有し、
前記第２光調整部材は、前記第２端部から遠ざかるに従い前記媒体支持部に近付くように傾斜した第２斜面を有することを特徴とする請求項１乃至６のうちいずれか１項に記載の記録装置。
【発明の詳細な説明】
【技術分野】
【０００１】
本発明は、記録装置に関する。
【背景技術】
【０００２】
従来、光（例えば、紫外線）を照射することにより硬化するインクを用いて媒体に画像を記録するインクジェット記録装置が知られている（例えば、特許文献１）。
特許文献１に記載の記録装置は、光硬化性のインクを吐出する記録ヘッドと、光を照射する照射装置と、記録ヘッド及び照射装置を走査方向に走査させるキャリッジと、媒体を支持するプラテンと、照射装置からの光が記録ヘッドの吐出面に向かって反射することを防止する反射防止部材とを備え、反射防止部材は、プラテンに支持される媒体の側方に配設されている。反射防止部材は、照射装置から照射され媒体の側方で反射される光が記録ヘッドの吐出面に入射することを防止し、記録ヘッドの吐出面でインクが硬化し、インク吐出口が目詰まりするという不具合を抑制する。
【先行技術文献】
【特許文献】
【０００３】
【特許文献１】国際公開第２００７／０４３５０７号
【発明の概要】
【発明が解決しようとする課題】
【０００４】
しかしながら、特許文献１に記載の記録装置では、反射防止部材によって照射装置から照射される光の反射を完全に防止することが難しく、照射装置から照射される光が記録ヘッドの吐出面に入射するおそれがあった。
【課題を解決するための手段】
【０００５】
本発明は、上述の課題の少なくとも一部を解決するためになされたものであり、以下の形態または適用例として実現することが可能である。
【０００６】
［適用例１］本適用例に係る記録装置は、第１方向に沿った第１端部と、前記第１方向に交差する第２方向に沿った第２端部とを有する媒体に画像を記録する記録装置であって、と、前記第２方向に移動可能なキャリッジと、前記キャリッジに搭載され、前記媒体に光硬化性のインクを吐出する記録ヘッドと、前記キャリッジに搭載され、前記媒体に光を照射する光源を有する照射装置と、前記媒体を支持する媒体支持部と、前記第１端部に隣り合い、前記第１方向に延在し前記媒体支持部に支持される第１光調整部材と、を備え、前記第１光調整部材は、前記第１端部から前記第２方向に遠ざかるに従い前記媒体支持部から離れるように傾斜した第１斜面を有することを特徴とする。
【０００７】
照射装置（光源）の光は、媒体に吐出されたインクに吸収されるので、媒体によって反射されにくい。ところが、光源の光は、媒体支持部によって反射されやすい。このため、記録ヘッドが媒体に対してインクを吐出しながら、照射装置と記録ヘッドとが第２方向に移動し、記録ヘッドが、媒体支持部の媒体で覆われた部分（媒体が支持された部分）から、媒体支持部の露出した部分（媒体が支持されていない部分）に移動すると、媒体支持部の露出した部分によって反射された光源の光が記録ヘッドのインク吐出面に入射するおそれがある。光源の光が記録ヘッドのインク吐出面に入射すると、記録ヘッドのインク吐出面でインクが硬化し、ノズル（インク吐出口）が目詰まりするという不具合が生じるおそれがある。
【０００８】
本適用例では、媒体支持部の露出した部分に、媒体の第１端部に隣り合うように第１光調整部材が配置されている。このため、照射装置と記録ヘッドとが第２方向に移動し、記録ヘッドが媒体支持部の露出した部分に移動した場合、第１光調整部材は、媒体の第１端部と記録ヘッドとの間に位置する。さらに、第１光調整部材が媒体の第１端部と記録ヘッドとの間に位置する場合、媒体支持部との間の距離が記録ヘッドから第１端部に向かう方向に短くなるように、第１斜面が傾斜するので、第１斜面に入射した光は第１端部の側に向かい、記録ヘッドから遠ざかるように反射される。
このため、第１光調整部材の第１斜面が光を反射する性質を有し、媒体の第１端部から第２方向に遠ざかるに従い媒体支持部から離れるように傾斜すると、第１光調整部材が媒体の第１端部と記録ヘッドとの間に位置する場合、光源の光は、媒体支持部の露出した部分に達する前に、第１斜面によって記録ヘッドから遠ざかる方向（媒体が支持される側）に反射され、記録ヘッドのインク吐出面に入射しにくくなる。
【０００９】
また、第１光調整部材の第１斜面が光を吸収する性質を有し、第１端部から遠ざかるに従い媒体支持部から離れるように傾斜すると、第１光調整部材が媒体の第１端部と記録ヘッドとの間に位置する場合、光源の光は、媒体支持部の露出した部分に達する前に、第１斜面によって吸収され、記録ヘッドのインク吐出面に入射しにくくなる。
いずれの場合においても光源の光が記録ヘッドのインク吐出面に入射しにくくなるので、光源の光が記録ヘッドのインク吐出面に入射し、記録ヘッドのインク吐出面でインクが硬化し、ノズル（インク吐出口）が目詰まりするという不具合を抑制することができる。
【００１０】
［適用例２］上記適用例に記載の記録装置は、前記第１斜面は、前記光を正反射可能な光反射面、または前記光を吸収可能な光吸収面であることが好ましい。
【００１１】
第１光調整部材の第１斜面が光を正反射可能な光反射面である場合、照射装置と記録ヘッドとが第２方向に移動し、第１光調整部材が媒体の第１端部と記録ヘッドとの間に位置すると、光源の光は、媒体支持部の露出した部分に達する前に、第１斜面によって記録ヘッドから遠ざかる方向（媒体が支持される側）に反射され、記録ヘッドのインク吐出面に入射しにくくなる。
第１光調整部材の第１斜面が光を吸収可能な光吸収面であり、照射装置と記録ヘッドとが第２方向に移動し、第１光調整部材が媒体の第１端部と記録ヘッドとの間に位置すると、光源の光は、媒体支持部の露出した部分に達する前に、第１斜面によって吸収され、記録ヘッドのインク吐出面に入射しにくくなる。
いずれの場合においても光源の光が記録ヘッドのインク吐出面に入射しにくくなるので、光源の光が記録ヘッドのインク吐出面に入射し、記録ヘッドのインク吐出面でインクが硬化し、ノズル（インク吐出口）が目詰まりするという不具合を抑制することができる。
【００１２】
［適用例３］上記適用例に記載の記録装置は、前記光源の光軸は前記第１方向及び前記第２方向に交差する第３方向に沿って配置され、前記光源の指向角は２θ１であるとした場合、前記媒体支持部に対する前記第１斜面の傾斜角θ２は、θ１／２から９０度までの範囲にあることが好ましい。
【００１３】
媒体支持部に対する第１斜面の傾斜角θ２を、θ１／２から９０度までの範囲にすると、照射装置と記録ヘッドとが第２方向に移動し、第１光調整部材が媒体の第１端部と記録ヘッドとの間に位置する場合、光源の光は、媒体支持部の露出した部分に達する前に、第１斜面によって記録ヘッドから遠ざかる方向に反射され、記録ヘッドのインク吐出面に入射しにくくなる。
【００１４】
［適用例４］上記適用例に記載の記録装置は、前記傾斜角θ２は、θ１／２から９０度までの範囲で変更可能であることが好ましい。
【００１５】
媒体支持部に対する第１斜面の傾斜角θ２がθ１／２から９０度までの範囲で変更可能であると、第１斜面の傾斜角θ２によって第１光調整部材の高さ（第３方向の長さ）を変更（調整）することができる。
【００１６】
［適用例５］上記適用例に記載の記録装置は、前記第１光調整部材は前記媒体支持部に対して着脱可能であることが好ましい。
【００１７】
第１光調整部材が媒体支持部に対して着脱可能であると、媒体支持部における第１光調整部材の位置を変更（調整）することができる。例えば、媒体の大きさが多種多様である場合、大きさが異なる媒体のそれぞれで、第１端部に隣り合うように第１光調整部材の位置を変更（調整）することができる。
【００１８】
［適用例６］上記適用例に記載の記録装置は、前記第１光調整部材は、前記第２方向に沿って複数配置されることが好ましい。
【００１９】
第１光調整部材を第２方向に沿って複数配置すると、第１光調整部材を単数配置する場合と比べて、媒体支持部の露出した部分（媒体が支持されていない部分）において、第１光調整部材が配置される領域（第１光調整部材で覆われた領域）を広くすることができる。また、第１光調整部材の第１斜面が光を反射する性質を有する場合、媒体支持部の露出した部分における第１光調整部材で覆われた領域は、光源の光の反射光が記録ヘッドに入射しないように、光源の光を記録ヘッドから遠ざかる方向に反射する。第１光調整部材の第１斜面が光を吸収する性質を有する場合、媒体支持部の露出した部分における第１光調整部材で覆われた領域は、光源の光の反射光が記録ヘッドに入射しないように、光源の光を吸収する。
従って、媒体支持部の露出した部分における第１光調整部材で覆われた領域が広くなると、媒体支持部の露出した部分における第１光調整部材で覆われた領域が狭い場合と比べて、光源の光の反射光が記録ヘッドに入射しにくくなる。
【００２０】
［適用例７］上記適用例に記載の記録装置は、前記第２端部に隣り合い、前記第２方向に延在し前記媒体支持部に支持される第２光調整部材をさらに有し、前記第２光調整部材は、前記第２端部から遠ざかるに従い前記媒体支持部に近付くように傾斜した第２斜面を有することが好ましい。
【００２１】
記録装置は、記録ヘッドが媒体に対してインクを吐出しながら照射装置と記録ヘッドとが第２方向に移動する動作と、照射装置と記録ヘッドとが第１方向に移動する動作とを交互に繰り返し、媒体に画像を記録する。
第２光調整部材の第２斜面が光を反射する性質を有し、照射装置（光源）と記録ヘッドとが第１方向に移動し、照射装置（光源）と記録ヘッドとが媒体の第２端部に近付く場合、第２斜面を媒体の第２端部から遠ざかるに従い媒体支持部に近付くように傾斜させると、光源の光は、第２斜面によって記録ヘッドから遠ざかる方向（記録ヘッドが配置される側と反対の側）に反射され、記録ヘッドのインク吐出面に入射しにくくなる。
第２光調整部材の第２斜面が光を吸収する性質を有し、照射装置（光源）と記録ヘッドとが第１方向に移動し、照射装置（光源）と記録ヘッドとが媒体の第２端部に近付く場合、第２斜面を媒体の第２端部から遠ざかるに従い媒体支持部に近付くように傾斜させると、光源の光は、第２斜面によって吸収され、記録ヘッドのインク吐出面に入射しにくくなる。
【図面の簡単な説明】
【００２２】
【図１】実施形態１に係る記録装置の構成を示す概略図。
【図２】図１におけるＮ−Ｎ方向から見た支持ステージの断面を示す概略図。
【図３】記録部の内部の状態を示す概略図。
【図４】偶数の主走査の状態を示す模式図。
【図５】偶数の主走査の状態を示す模式図。
【図６】奇数の主走査の状態を示す模式図。
【図７】第１斜面によって反射される光の状態を示す模式図。
【図８】第１斜面によって反射される光の状態を示す模式図。
【図９】第１斜面によって反射される光の状態を示す模式図。
【図１０】第１斜面によって反射される光の状態を示す模式図。
【図１１】図１をＹ方向に沿って切断した断面図。
【図１２】図１をＹ方向に沿って切断した断面図。
【図１３】実施形態２に係る記録装置に搭載される第１光調整部材の状態を示す模式図。
【図１４】実施形態２に係る記録装置に搭載される第１光調整部材の状態を示す模式図。
【図１５】実施形態３に係る記録装置に搭載される第１光調整部材の状態を示す模式図。
【図１６】実施形態３に係る記録装置に搭載される第１光調整部材の状態を示す模式図。
【発明を実施するための形態】
【００２３】
以下、図面を参照して、本発明の実施形態について説明する。かかる実施形態は、本発明の一態様を示すものであり、この発明を限定するものではなく、本発明の技術的思想の範囲内で任意に変更可能である。また、以下の各図においては、各層や各部位を図面上で認識可能な程度の大きさとするため、各層や各部位の縮尺を実際とは異ならせしめてある。
【００２４】
（実施形態１）
「記録装置の概要」
実施形態１に係る記録装置１は、支持ステージ３に支持された媒体Ｍに対し液体吐出ヘッド（記録ヘッド８）を移動させて媒体Ｍに対して記録を行う、いわゆるフラットベッドタイプの記録装置である。記録装置１は、「光硬化性のインク」の一例である紫外線硬化インク（以降、インクと略す）をインクジェット方式で吐出することにより、媒体Ｍに対して所望の画像を記録する。媒体Ｍとしては、例えば、薄紙、プラスチックシート、厚紙、木材、タイル、プラスチックボード、スチレンボード、段ボール、成形部材、石等で構成される媒体を想定している。このため、媒体Ｍの大きさや媒体Ｍの厚さは多種多様である。
また、各図に示す通り、Ｘ方向とＹ方向とＺ方向とを規定して、以降の説明を行う。なお、Ｘ方向とＹ方向とがなす平面は水平面であり、Ｚ方向は鉛直方向である。
【００２５】
図１は、実施形態１に係る記録装置の構成を示す概略図である。図２は、図１におけるＮ−Ｎ方向から見た支持ステージの断面を示す概略図である。図３は、記録部の内部の状態を示す概略図である。
最初に、図１乃至図３を参照し、本実施形態に係る記録装置１の概要を説明する。
記録装置１は、記録部５と、「媒体支持部」の一例である支持ステージ３と、操作パネル３５と、開閉扉３５１と、脚部３３と、インクを収容する収容体（インクカートリッジ）３０とを備える。
支持ステージ３は、一方向に長い略平板形状の部分である媒体支持面３１を有する。支持ステージ３の媒体支持面３１には、複数の吸引口（図示省略）が設けられており、媒体Ｍを媒体支持面３１に吸着して保持することができる。
以降の説明では、媒体支持面３１の長手方向をＹ方向とし、媒体支持面３１の短手方向をＸ方向とし、Ｘ方向及びＹ方向に交差する方向をＺ方向とする。なお、Ｘ方向は「第２方向」の一例であり、Ｙ方向は「第１方向」の一例であり、Ｚ方向は「第３方向」の一例である。
さらに、Ｘ方向におけるインクカートリッジ３０側をＸ（＋）方向とし、その反対側をＸ（−）方向とする。Ｙ方向における操作パネル３５側をＹ（＋）方向とし、その反対側をＹ（−）方向とする。Ｚ方向における重力方向側をＺ（−）方向とし、その反対側をＺ（＋）方向とする。
【００２６】
脚部３３は、支持ステージ３の４隅を支持する部分である。脚部３３の下端には、キャスターを設けてもよい。キャスターを設けると、記録装置１を容易に移動させることができる。
操作パネル３５は、作業者による指示を受け付ける部分である。
開閉扉３５１は、作業者が記録部５へ手作業によるメンテナンスを行うために設けられている部分である。開閉扉３５１の真上（Ｚ（＋）方向側）に記録部５を移動させることにより、作業者は、開閉扉３５１を開けて、記録部５の内部を手作業によりメンテナンスを行うことができる。
【００２７】
支持ステージ３の媒体支持面３１には、媒体Ｍと第１光調整部材２１と第２光調整部材２２とが載置されている。換言すれば、支持ステージ３は、媒体Ｍと第１光調整部材２１と第２光調整部材２２とを支持する。
媒体Ｍは、Ｘ方向と比べてＹ方向に長い矩形状を有する。媒体Ｍは、Ｘ方向側の端である第１端部８１と、Ｙ方向側の端である第２端部８２とを有する。すなわち、媒体Ｍは、Ｙ方向に沿った第１端部８１と、Ｙ方向に交差するＸ方向に沿った第２端部８２とを有する。第１端部８１は、Ｘ（＋）方向側の第１端部８１Ａと、Ｘ（−）方向側の第１端部８１Ｂとで構成される。第２端部８２は、Ｙ（＋）方向側の第２端部８２Ａと、Ｙ（−）方向側の第２端部８２Ｂとで構成される。
第１光調整部材２１は、第１端部８１に隣り合い、Ｘ方向に延在する部材である。第１光調整部材２１は、支持ステージ３によって支持され、支持ステージ３に対して着脱可能である。第１光調整部材２１は、第１端部８１Ａに隣り合う第１光調整部材２１Ａと、第１端部８１Ｂに隣り合う第１光調整部材２１Ｂとで構成される。
第２光調整部材２２は、第２端部８２に隣り合い、Ｘ方向に延在する部材である。第２光調整部材２２は、支持ステージ３によって支持され、支持ステージ３に対して着脱可能である。第２光調整部材２２は、第２端部８２Ａに隣り合う第２光調整部材２２Ａと、第２端部８２Ｂに隣り合う第２光調整部材２２Ｂとで構成される。
なお、図１では、媒体Ｍ及び光調整部材２１，２２の状態を分かりやすくするために、媒体Ｍと光調整部材２１，２２との間の隙間が広い状態で図示されている。詳細は後述するが、媒体Ｍと光調整部材２１，２２との間の隙間は狭い方が好ましい。
【００２８】
図２に示すように、支持ステージ３は、記録部５（キャリッジ６１（図３参照））をＹ方向（副走査方向）へ移動可能とする副走査移動部４を備えている。副走査移動部４は、Ｘ方向（主走査方向）における支持ステージ３の両側に設けられた一対のガイド機構４１と、記録部５とガイド機構４１とを連結する連結フレーム４２と、ガイド機構４１に沿って記録部５を副走査方向（Ｙ方向）に駆動させる副走査移動機構４３とを備えている。
【００２９】
ガイド機構４１は、ＬＭガイド（登録商標）により構成されている。ガイド機構４１は、副走査方向（Ｙ方向）に延設して支持ステージ３の下側（Ｚ（−）方向側）に固定されたガイドレール４１ａと、ガイドレール４１ａに対して副走査方向（Ｙ方向）にスライドするスライダー４１ｂとを備える。スライダー４１ｂは、連結フレーム４２を介して記録部５に取り付けられている。
【００３０】
副走査移動機構４３は、副走査方向（Ｙ方向）に延設して支持ステージ３に固定されたネジ軸４４と、ネジ軸４４に螺合するナット部材４６と、ナット部材４６を回転させる副走査モーター４７と、ナット部材４６が回転自在となるように連結フレーム４２に取り付けられている支持部材４５とを備える。
副走査移動部４は、副走査モーター４７によってナット部材４６を回転させることにより、連結フレーム４２とともに記録部５を副走査方向（Ｙ方向）に移動させることができる。
【００３１】
図３に示すように、記録部５は、記録ユニット６と、記録ユニット６を主走査方向（Ｘ方向）に移動させる主走査移動部７と、記録ユニット６と主走査移動部７とを収容するハウジング部材５０（図１参照）とを備える。なお、図３には、ハウジング部材５０が取り除かれた状態が図示されている。
【００３２】
記録ユニット６は、記録ヘッド８と照射装置９とキャリッジ６１とを有する。
キャリッジ６１は、記録ヘッド８と照射装置９とを搭載し、主走査移動部７によって主走査方向（Ｘ方向）に移動可能である。
記録ヘッド８は、キャリッジ６１の支持ステージ３の媒体支持面３１に対向する側に装着されている。記録ヘッド８は、インクを吐出するノズル（図示省略）が形成されたノズル形成面８ａを、支持ステージ３の媒体支持面３１に対向する側に有している。すなわち、記録ヘッド８は、キャリッジ６１に搭載され、媒体Ｍに光硬化性のインクを吐出する。なお、ノズル形成面８ａは、「インクが吐出される面」の一例である。
さらに、記録ヘッド８は、共通液室（図示省略）、圧力発生室（図示省略）、及び圧電素子（図示省略）などを有し、支持ステージ３に支持された媒体Ｍにインクを吐出する。圧力発生室及び圧電素子は、ノズル形成面８ａに形成されたノズルと一対一に対応する。圧電素子は、撓み振動モードの圧電アクチュエーター、または縦振動モードの圧電アクチュエーターである。インクカートリッジ３０と共通液室とを経て圧力発生室にインクが供給された状態で、圧電素子が圧力発生室の一部を形成する振動板を振動させ、圧力発生室に圧力変動を生じさせ、この圧力変動を利用することで、記録ヘッド８はノズルから媒体Ｍに対してインクを吐出することができる。
【００３３】
また、記録部５は、Ｚ方向の位置が調整可能（変更可能）な調整機構（図示省略）を有している。そして、記録部５の調整機構によって、支持ステージ３に搭載された媒体Ｍと記録ヘッド８のノズル形成面８ａとの間隔が所定の間隔になるように、媒体Ｍの厚さ（Ｚ方向の長さ）に応じて記録ヘッド８のＺ方向の位置が調整される。すなわち、記録装置１では、支持ステージ３と記録ヘッド８のノズル形成面８ａとの間隔（以降、プラテンギャップと称す）が変更可能であり、媒体Ｍの厚さ（Ｚ方向の長さ）に応じて、支持ステージ３に支持された媒体Ｍと記録ヘッド８のノズル形成面８ａとの間隔が所定の間隔になるように、プラテンギャップが調整される。
【００３４】
照射装置９は、キャリッジ６１のＸ方向側の端に固定され、記録ヘッド８と一緒に主走査方向（Ｘ方向）に移動可能である。照射装置９は、記録ヘッド８に対してＸ（＋）方向に配置される第１照射装置９Ａと、記録ヘッド８に対してＸ（−）方向側に配置される第２照射装置９Ｂとを有する。さらに、照射装置９は、媒体Ｍに光Ｌ（図４参照）を照射する光源１０（図４参照）を有する。すなわち、照射装置９は、キャリッジ６１に搭載され、媒体Ｍに光Ｌを照射する光源１０を有する。
照射装置９と記録ヘッド８とが一緒に主走査方向（Ｘ方向）に移動しながら、記録ヘッド８から媒体Ｍに対してインクが吐出され、照射装置９の光源１０から媒体Ｍに吐出されたインクに対して光（紫外光）が照射され、インクが硬化され、インクが媒体Ｍに定着される。
【００３５】
主走査移動部７は、記録ユニット６を主走査方向（Ｘ方向）へ移動可能となるように支持する上下一対のガイド軸７１と、記録ユニット６をガイド軸７１に沿って移動可能させる主走査移動機構７３とを備える。
主走査移動機構７３は、ガイド軸７１に沿って主走査方向（Ｘ方向）へ延設されたタイミングベルト７４と、タイミングベルト７４を掛け渡すための主動プーリー７５および従動プーリー７６と、主動プーリー７５を駆動する主走査モーター７７とを備える。主走査移動部７は、主走査モーター７７によって主動プーリー７５を駆動させることにより、タイミングベルト７４に連結された記録ユニット６を主走査方向（Ｘ方向）に移動させることができる。
【００３６】
かかる構成によって、記録装置１では、記録ヘッド８が、主走査方向（Ｘ方向）への移動（主走査）と、副走査方向（Ｙ方向）への移動（副走査）とを交互に行って、媒体Ｍに画像を記録する。
詳しくは、ノズルから媒体Ｍに対してインクを吐出しながら記録ヘッド８をＸ（−）方向へ１回移動させる１回目の主走査を行い、１回目の主走査の記録を行う。次に、記録ヘッド８をＹ（＋）方向に移動させる副走査を行い、記録ヘッド８を次の主走査開始位置に配置する。続いて、その位置から、ノズルから媒体Ｍに対してインクを吐出しながら記録ヘッド８をＸ（＋）方向へ１回移動させる２回目の主走査を行い、２回目の主走査の記録を行う。続いて、記録ヘッド８をＹ（＋）方向に移動させる副走査を行い、記録ヘッド８を次の主走査開始位置に配置する。以降、同様に主走査と副走査とを繰り返し、ｎ回目の主走査の記録を行う。
以降の説明では、ｎが奇数であるｎ回目の主走査を「奇数の主走査」と称し、ｎが偶数であるｎ回目の主走査を「偶数の主走査」と称す。また、ｎが奇数であるｎ回目の主走査と、ｎが偶数であるｎ回目の主走査とを、単に「主走査」と称す。
すなわち、奇数の主走査とは、ノズルから媒体Ｍに対してインクを吐出しながら記録ヘッド８をＸ（−）方向へ１回移動させることであり、偶数の主走査とは、ノズルから媒体Ｍに対してインクを吐出しながら記録ヘッド８をＸ（＋）方向へ１回移動させることである。
【００３７】
「第１光調整部材の概要」
図４及び図５は、偶数の主走査の状態を示す模式図である。図６は、奇数の主走査の状態を示す模式図である。
詳しくは、図４は、記録ユニット６（光源１０）が第１端部８１Ａと第１端部８１Ｂとの間に配置される場合の、偶数の主走査の状態を示す模式図である。図５は、記録ユニット６（光源１０）が媒体Ｍの第１端部８１Ａの上に配置される場合の模式図である。図６は、記録ユニット６（光源１０）が媒体Ｍの第１端部８１Ｂの上に配置される場合の模式図である。
また、図４乃至図６は、図１をＸ方向に沿って切断した断面図であり、説明に必要な構成要素が図示され、説明に不要な構成要素の図示が省略されている。さらに、図４乃至図６では、光源１０が黒丸で図示されている。また、以降の説明を分かりやすくするために、光源１０は点光源であるとする。
次に、図４乃至図６を参照し、第１光調整部材２１（２１Ａ，２１Ｂ）の概要について説明する。
【００３８】
図４に示すように、偶数の主走査では、記録ユニット６（記録ヘッド８，照射装置９）が図中に矢印で示される方向（Ｘ（＋）方向）に移動しながら、記録ヘッド８のノズル形成面８ａから媒体Ｍに対してインクを吐出し、照射装置９Ａ，９Ｂの光源１０（光源１０Ａ，１０Ｂ）から媒体Ｍに対して光Ｌ（Ｌ１，Ｌ２，Ｌ３）を照射する。偶数の主走査では、記録ヘッド８のノズル形成面８ａから媒体Ｍに吐出されたインクを、照射装置９Ａ，９Ｂの光源１０Ａ，１０Ｂから発せられる光Ｌによって硬化させ、媒体Ｍにインクを定着させる。
図示を省略するが、奇数の主走査では、記録ユニット６（記録ヘッド８，照射装置９）がＸ（−）方向に移動しながら、記録ヘッド８のノズル形成面８ａから媒体Ｍに対してインクを吐出し、照射装置９Ａ，９Ｂの光源１０Ａ，１０Ｂから媒体Ｍに対して光Ｌ（Ｌ１，Ｌ２，Ｌ３）を照射する。そして、照射装置９Ａ，９Ｂの光源１０Ａ，１０Ｂから発せられる光Ｌによって媒体Ｍに吐出されたインクを硬化させ、媒体Ｍにインクを定着させる。
【００３９】
光源１０（光源１０Ａ，１０Ｂ）は、発光ダイオードであり、３７５ｎｍ〜４０５ｎｍの波長域の光Ｌ（紫外線）を発する。なお、３７５ｎｍ〜４０５ｎｍの波長域の光Ｌは、人体に悪影響を及ぼしにくく、例えば失明や視力低下等の悪影響が生じにくい。
光源１０が発光ダイオードである場合、光源１０がハロゲンランプである場合と比べて、光源１０から発せられる光Ｌの指向性が高くなり、媒体Ｍに吐出されたインクに効率的に光Ｌを照射することができる。さらに、光源１０から発せられる光Ｌの指向性が高くなると、光源１０から発せられる光Ｌの強度は、光Ｌの照射方向によって異なる。
図４において、破線の矢印で示される光Ｌ１は、光の強度が最大である。実線の矢印で示される光Ｌ２は、光Ｌ１の強度の半分の強度を有する。一点鎖線の矢印で示される光Ｌ３は、光Ｌ１の強度よりも弱く、光Ｌ２の強度よりも強い強度を有する。すなわち、光Ｌ３の強度は、光Ｌ１の強度と光Ｌ２の強度との間にある。
なお、光源１０は、発光ダイオードに限定されず、インクを硬化させる光を発すればよく、例えばハロゲンランプであってもよい。
【００４０】
記録装置１では、主走査において、光Ｌ２の強度以上の強度を有する光Ｌがインクに照射されると、インクが硬化するように設計されている。すなわち、光Ｌ２の強度以上の強度を有する光Ｌはインクの硬化に寄与し、光Ｌ２の強度よりも強度が弱い光Ｌはインクの硬化に寄与しない。
光Ｌは、光源１０から発せられ、光源１０から放射線状に広がる拡散光である。光Ｌ１はＺ（−）方向に進行し、Ｚ（−）方向に照射される。光Ｌ１が進行する方向（Ｚ（−）方向）は、「光軸」の一例であり、以降、光軸Ｋ（図５参照）と称す。光Ｌ２及び光Ｌ３は、光源１０から放射線状に広がって照射される。光Ｌ２の照射方向と光Ｌ１の照射方向（光軸Ｋ）とがなす角度はθ１である。また、光Ｌ２が放射線状に広がる角度は、「指向角」の一例であり、２θ１である。すなわち、光Ｌ２の指向角は２θ１である。
【００４１】
光軸Ｋとなす角度がθ１よりも小さい光Ｌは、光Ｌ２の強度以上の強度を有する光であり、インクの硬化に寄与する光である。すなわち、光Ｌ１，Ｌ２，Ｌ３は、インクの硬化に寄与する光である。光Ｌ１，Ｌ２，Ｌ３が記録ヘッド８のノズル形成面８ａに入射すると、ノズル形成面８ａでインクが硬化し、硬化したインクによってノズル（インク吐出口）が目詰まりするという不具合が生じるおそれがある。
光軸Ｋとなす角度がθ１よりも大きい光Ｌは、光Ｌ２の強度よりも強度が弱い光であり、インクの硬化に寄与しない光である。このため、光軸Ｋとなす角度がθ１よりも大きい光Ｌが、記録ヘッド８のノズル形成面８ａに入射しても、ノズル形成面８ａでインクが硬化せず、硬化したインクによってノズル（インク吐出口）が目詰まりするという不具合が生じない。
以降の説明では、インクの硬化に寄与する光Ｌ（光Ｌ１，Ｌ２，Ｌ３）の影響を小さくする方法について考察する。
【００４２】
図４に示す状態では、光Ｌ（光Ｌ１，Ｌ２，Ｌ３）は、媒体Ｍに照射され、媒体Ｍに吐出されたインクによって吸収され、媒体Ｍに吐出されたインクを硬化させる。このため、光Ｌが媒体Ｍに照射される場合、光Ｌが媒体Ｍに吐出されたインクに吸収されるので、媒体Ｍによって光Ｌの反射が生じにくく、光Ｌが記録ヘッド８のノズル形成面８ａに入射しくい。
一方、図５及び図６に示す状態では、光Ｌ（光Ｌ１，Ｌ２，Ｌ３）が支持ステージ３に照射されると、光Ｌ（光Ｌ１，Ｌ２，Ｌ３）は、支持ステージ３によって反射され、記録ヘッド８のノズル形成面８ａに入射し、ノズル形成面８ａでインクが硬化し、硬化したインクによってノズル（インク吐出口）が目詰まりするという不具合が生じるおそれがある。
【００４３】
図５及び図６では、光軸Ｋが一点鎖線で図示され、光軸Ｋに沿って照射される光Ｌ１の図示が省略されている。
図５に示すように、偶数の主走査によって、記録ユニット６（記録ヘッド８，照射装置９）がＸ（＋）方向に移動し、第２照射装置９Ｂの光源１０Ｂが第１端部８１Ａに対してＺ（＋）方向に配置される場合、第１照射装置９Ａの光源１０Ａが第１端部８１Ａに対してＸ（＋）方向に配置される。
第２照射装置９Ｂの光源１０Ｂが第１端部８１Ａに対してＺ（＋）方向に配置される場合、第２照射装置９Ｂの光源１０Ｂはオン状態（点灯状態）にある。第１照射装置９Ａの光源１０Ａが第１端部８１Ａに対してＸ（＋）方向に配置される場合、第１照射装置９Ａの光源１０Ａはオフ状態（非点灯状態）にある。
【００４４】
仮に、第１端部８１Ａに対してＸ（＋）方向に配置される光源１０Ａがオン状態にあると、光源１０Ａから照射される光Ｌが支持ステージ３によって反射され、光Ｌが記録ヘッド８のノズル形成面８ａに入射する。すると、ノズル形成面８ａのノズルに充填されるインクが硬化し、硬化したインクによってノズルが閉塞され、ノズルからインクが吐出されなくなるという不具合が生じるおそれがある。
このため、第１照射装置９Ａの光源１０Ａが第１端部８１Ａに対してＸ（＋）方向に配置される場合、光源１０Ａはオフ状態にある。
【００４５】
図６に示すように、奇数の主走査によって、記録ユニット６（記録ヘッド８，照射装置９）がＸ（−）方向に移動し、第１照射装置９Ａの光源１０Ａが第１端部８１Ｂに対してＺ（＋）方向に配置される場合、第２照射装置９Ｂの光源１０Ｂが第１端部８１Ｂに対してＸ（−）方向に配置される。
第１照射装置９Ａの光源１０Ａが第１端部８１Ｂに対してＺ（＋）方向に配置される場合、第１照射装置９Ａの光源１０Ａはオン状態（点灯状態）にある。第２照射装置９Ｂの光源１０Ｂが第１端部８１Ｂに対してＸ（−）方向に配置される場合、第２照射装置９Ｂの光源１０Ｂはオフ状態（非点灯状態）にある。
【００４６】
仮に、第１端部８１Ｂに対してＸ（−）方向に配置される光源１０Ｂがオン状態にあると、光源１０Ｂから照射される光Ｌが支持ステージ３によって反射され、光Ｌが記録ヘッド８のノズル形成面８ａに入射する。すると、ノズル形成面８ａのノズルに充填されるインクが硬化し、硬化したインクによってノズルが閉塞され、ノズルからインクが吐出されなくなるという不具合が生じるおそれがある。
このため、第２照射装置９Ｂの光源１０Ｂが第１端部８１Ｂに対してＸ（−）方向に配置される場合、光源１０Ｂはオフ状態にある。
【００４７】
記録装置１では、記録ユニット６（照射装置９、記録ヘッド８）がＸ（＋）方向に移動し、光源１０が媒体Ｍの第１端部８１Ａの上を通過し、光源１０が媒体Ｍの第１端部８１Ａに対してＸ（＋）方向側に位置すると、光源１０はオン状態からオフ状態に切り替わる。さらに、記録ユニット６（照射装置９、記録ヘッド８）がＸ（−）方向に移動し、光源１０が媒体Ｍに対してＺ（＋）方向側に位置すると、光源１０はオフ状態からオン状態に切り替わる。
同様に、記録ユニット６（照射装置９、記録ヘッド８）がＸ（−）方向に移動し、光源１０が媒体Ｍの第１端部８１Ｂの上を通過し、光源１０が媒体Ｍの第１端部８１Ｂに対してＸ（−）方向側に位置すると、光源１０はオン状態からオフ状態に切り替わる。さらに、記録ユニット６（照射装置９、記録ヘッド８）がＸ（＋）方向に移動し、光源１０が媒体Ｍに対してＺ（＋）方向側に位置すると、光源１０はオフ状態からオン状態に切り替わる。
このように、主走査では、照射装置９の光源１０（光源１０Ａ，１０Ｂ）は、オン（点灯）とオフ（非点灯）とを繰り返す。
なお、光源１０（光源１０Ａ，１０Ｂ）がオンとオフとを繰り返し、記録ユニット６に搭載される一方の光源１０がオン状態になり、記録ユニット６に搭載される他方の光源１０がオフ状態になった場合であっても、媒体Ｍに吐出されたインクは適正に硬化されるようになっている。
【００４８】
なお、図５に示す偶数の主走査において、記録ヘッド８は、第２照射装置９Ｂの光源１０Ｂに対してＸ（＋）方向の下流側に配置される。この場合、第２照射装置９Ｂの光源１０Ｂは、本願における「光源」に対応する。図６に示す奇数の主走査において、記録ヘッド８は、第１照射装置９Ａの光源１０Ａに対してＸ（−）方向の下流側に配置される。この場合、第１照射装置９Ａの光源１０Ａは、本願における「光源」に対応する。
さらに、図５及び図６に示す状態は、本願における「記録ヘッド８は、光源１０に対して第２方向（Ｘ方向）の下流側に配置され、記録ヘッド８及び光源１０を第２方向（Ｘ方向）に移動させ、光源１０が第１端部８１に対して第１方向（Ｙ方向）及び第２方向（Ｘ方向）に交差する第３方向（Ｚ方向）に配置される場合」に相当する。
図５及び図６に示す状態、すなわち、光源１０が媒体Ｍの第１端部８１に対してＺ（＋）方向側に配置される場合では、光源１０から支持ステージ３に照射される光Ｌの面積が最も広くなる。すると、光源１０の光Ｌは、支持ステージ３によって最も反射されやすくなり、記録ヘッド８のノズル形成面８ａに最も入射しやすくなる。従って、図５及び図６に示す状態では、支持ステージ３によって反射された光Ｌが、記録ヘッド８のノズル形成面８ａに入射し、ノズル形成面８ａでインクが硬化し、硬化したインクによってノズルが閉塞され、ノズルからインクが吐出されなくなるという不具合が最も生じやすくなる。
以降、図５及び図６に示す状態、すなわち、光源１０が媒体Ｍの第１端部８１に対してＺ（＋）方向側に配置される場合を、最も不具合が生じやすい位置に光源１０が配置される場合と称す。
【００４９】
本実施形態は、最も不具合が生じやすい位置に光源１０が配置される場合において、光Ｌが記録ヘッド８のノズル形成面８ａに入射し、ノズル形成面８ａでインクが硬化し、硬化したインクによってノズルが閉塞され、ノズルからインクが吐出されなくなるという不具合を抑制することができるという優れた構成を有している。もちろん、最も不具合が生じやすい位置に光源１０が配置されない場合においても、同様の不具合を抑制することができる。
すなわち、本実施形態は、最も不具合が生じやすい位置に光源１０が配置される場合、及び最も不具合が生じやすい位置に光源１０が配置されない場合の両方において、光源１０の光Ｌが記録ヘッド８のノズル形成面８ａに入射し、ノズル形成面８ａでインクが硬化し、硬化したインクによってノズルが閉塞され、ノズルからインクが吐出されなくなるという不具合を抑制することができる。
以下に、その詳細を説明する。
【００５０】
図５に示す最も不具合が生じやすい位置に光源１０が配置される場合において、媒体Ｍの第１端部８１Ａに対してＸ（＋）方向側には、第１光調整部材２１Ａが配置されている。第１光調整部材２１Ａは、媒体Ｍの第１端部８１Ａに隣り合うように配置されている。第１光調整部材２１Ａは、Ｙ方向に延在する長尺部材であり（図１参照）、第１光調整部材２１Ａの断面は三角形状である。第１光調整部材２１Ａの構成材料は、例えば、アクリル樹脂である。
第１光調整部材２１Ａは、媒体Ｍの第１端部８１Ａに近い側に第１斜面２１ａを有する。第１斜面２１ａは、第１端部８１Ａから遠ざかるに従い支持ステージ３から離れるように傾斜している。すなわち、第１光調整部材２１Ａは、第１端部８１Ａから遠ざかるに従い支持ステージ３から離れるように傾斜した第１斜面２１ａを有する。支持ステージ３に対する第１斜面２１ａの傾斜角はθ２である。
【００５１】
仮に、媒体Ｍの第１端部８１Ａに対してＸ（＋）方向側に、第１光調整部材２１Ａが配置されない場合、図中に破線で示されるように、光Ｌ２，Ｌ３が支持ステージ３によって反射され、光Ｌ２，Ｌ３の反射光が記録ヘッド８のノズル形成面８ａに入射する。すると、ノズル形成面８ａでインクが硬化し、硬化したインクによってノズルが閉塞され、ノズルからインクが吐出されなくなるという不具合が生じる。
【００５２】
媒体Ｍの第１端部８１Ａに対してＸ（＋）方向側に配置される第１光調整部材２１Ａの第１斜面２１ａは、光Ｌ２，Ｌ３が支持ステージ３によって反射され、光Ｌ２，Ｌ３の反射光が記録ヘッド８のノズル形成面８ａに入射しないように、光Ｌ２，Ｌ３を遮る。
換言すれば、本実施形態は、光Ｌは、強度が最大である光Ｌ１（第１の光）と、強度が光Ｌ１の強度の半分である光Ｌ２（第２の光）と、強度が光Ｌ１の強度と光Ｌ２の強度との間にある光Ｌ３（第３の光）とを有し、第１光調整部材２１Ａの第１斜面２１ａは、光Ｌ１と光Ｌ２と光Ｌ３とが、支持ステージ３によって反射され、記録ヘッド８のインクが吐出されるノズル形成面８ａに入射しないように、第１光調整部材２１Ａの第１斜面２１ａは、光Ｌ１と光Ｌ２と光Ｌ３とを遮る構成を有している。
【００５３】
第１光調整部材２１Ａの第１斜面２１ａは、光Ｌを正反射可能な光反射面、または光Ｌを吸収する光吸収面である。
例えば、第１斜面２１ａが光Ｌを正反射可能な光反射面である場合、図中に実線で示される光Ｌ２、及び図中に一点鎖線で示される光Ｌ３は、記録ヘッド８から遠ざかる方向（Ｘ（−）方向）に反射され、記録ヘッド８のノズル形成面８ａに入射しにくくなる。すなわち、光源１０Ｂの光Ｌ２，Ｌ３は、支持ステージ３に達する前に、第１斜面２１ａによって記録ヘッド８から遠ざかる方向に反射されるので、記録ヘッド８のノズル形成面８ａに入射しにくくなる。
従って、光Ｌ２，Ｌ３が記録ヘッド８のノズル形成面８ａに入射しにくくするためには、第１斜面２１ａは光Ｌを正反射可能な光反射面であることが好ましい。
【００５４】
また、第１斜面２１ａが光Ｌを正反射可能な光反射面である場合とは、第１斜面２１ａが平滑であり、且つ第１斜面２１ａ（第１光調整部材２１Ａ）が光反射性を有する材料で構成されている場合に相当する。または、第１斜面２１ａが光Ｌを正反射可能な光反射面である場合とは、第１斜面２１ａが平滑であり、且つ第１斜面２１ａ（第１光調整部材２１Ａ）が、空気と異なる屈折率の材料で構成されている場合に相当する。
本実施形態では、第１斜面２１ａ（第１光調整部材２１Ａ）はアクリル樹脂で構成されている。アクリル樹脂の屈折率と空気の屈折率とは異なるので、屈折率が異なる界面（第１斜面２１ａ）において光Ｌの反射が生じる。このため、アクリル樹脂で構成された第１光調整部材２１Ａの第１斜面２１ａは、光Ｌを反射する反射面になる。さらに、アクリル樹脂を成型加工して第１光調整部材２１Ａを形成すると、第１光調整部材２１Ａの第１斜面２１ａは、表面凹凸が小さく平滑になり、光Ｌを正反射可能な光反射面になる。
【００５５】
仮に、第１斜面２１ａの表面凹凸が大きく、第１斜面２１ａが光Ｌを拡散反射する光射面であると、光Ｌ２，Ｌ３は色々な方向に反射されるので、第１斜面２１ａによって反射される拡散光が記録ヘッド８のノズル形成面８ａに入射するおそれがある。従って、光源１０Ｂの光Ｌ２，Ｌ３が記録ヘッド８のノズル形成面８ａに入射しにくくするためには、第１斜面２１ａは光Ｌを正反射可能な光反射面である構成が好ましい。
また、アクリル樹脂で構成される第１光調整部材２１Ａの第１斜面２１ａを、例えばアルミニウムなどの光反射性に優れた材料で覆うと、光反射性に優れた材料で覆われない場合と比べて、第１斜面２１ａの反射率を高めることができる。第１斜面２１ａの反射率を高めることによって、第１斜面２１ａは、光Ｌ２，Ｌ３を記録ヘッド８から遠ざかる方向（Ｘ（−）方向）に確実に反射することができる。
【００５６】
例えば、第１斜面２１ａが光Ｌを吸収する光吸収面である場合、光Ｌ２，Ｌ３が第１斜面２１ａによって吸収されるので、光Ｌ２，Ｌ３が記録ヘッド８のノズル形成面８ａに入射しにくくなる。すなわち、光源１０Ｂの光Ｌ２，Ｌ３は、支持ステージ３に達する前に、第１斜面２１ａによって吸収され、記録ヘッド８のノズル形成面８ａに入射しにくくなる。
従って、光Ｌ２，Ｌ３が記録ヘッド８のノズル形成面８ａに入射しにくくするためには、第１斜面２１ａは光Ｌを吸収する光吸収面であることが好ましい。
【００５７】
第１光調整部材２１Ａを構成するアクリル樹脂は、光Ｌ（紫外光）を吸収する性質を有している。なお、アクリル樹脂は、光Ｌ（紫外光）を完全に吸収することが難しいので、アクリル樹脂で構成される第１光調整部材２１Ａの第１斜面２１ａは、光Ｌを吸収する光吸収面、且つ光Ｌを反射する反射面になる。
第１光調整部材２１Ａの第１斜面２１ａが、光Ｌをより吸収しやすくするためには、第１斜面２１ａを光吸収性に優れた材料で覆うことが好ましい。例えば、酸化チタンや酸化亜鉛などの白色顔料で第１斜面２１ａの表面を覆うと、第１斜面２１ａは光Ｌをより吸収しやすくなる。例えば、カーボンなどの黒色顔料で第１斜面２１ａの表面を覆うと、第１斜面２１ａは光Ｌをより吸収しやすくなる。例えば、紫外線吸収剤が分散された樹脂で第１斜面２１ａの表面を覆うと、第１斜面２１ａは光Ｌをより吸収しやすくなる。
【００５８】
仮に、第１光調整部材２１Ａの第１斜面２１ａが、光Ｌを完全に吸収することが難しい場合であっても、第１斜面２１ａが第１端部８１Ａから遠ざかるに従い支持ステージ３から離れるように傾斜していると、第１斜面２１ａは、光Ｌを記録ヘッド８から遠ざかる方向に反射するので、光Ｌが記録ヘッド８のノズル形成面８ａに入射しにくくなる。
従って、第１光調整部材２１Ａの第１斜面２１ａが第１端部８１Ａから遠ざかるに従い支持ステージ３から離れるように傾斜し、第１光調整部材２１Ａの第１斜面２１ａが光Ｌを正反射可能な光反射面または光Ｌを吸収する光吸収面である場合、光Ｌが記録ヘッド８のノズル形成面８ａに入射しにくくなり、光Ｌが記録ヘッド８のノズル形成面８ａに入射し、ノズル形成面８ａでインクが硬化し、硬化したインクによってノズルが閉塞され、ノズルからインクが吐出されなくなるという不具合を抑制することができる。
【００５９】
図６に示す最も不具合が生じやすい位置に光源１０が配置される場合において、媒体Ｍの第１端部８１Ｂに対して、Ｘ（−）方向側には、第１光調整部材２１Ｂが配置されている。すなわち、第１光調整部材２１Ｂは、媒体Ｍの第１端部８１Ｂに隣り合うように配置されている。第１光調整部材２１Ｂは、Ｙ方向に延在する長尺部材であり（図１参照）、第１光調整部材２１Ｂの断面は三角形状である。第１光調整部材２１Ｂの構成材料は、例えば、アクリル樹脂である。
第１光調整部材２１Ｂは、媒体Ｍの第１端部８１Ｂに近い側に第１斜面２１ａを有する。第１斜面２１ａは、第１端部８１Ｂから遠ざかるに従い支持ステージ３から離れるように傾斜している。すなわち、第１光調整部材２１Ｂは、第１端部８１Ｂから遠ざかるに従い支持ステージ３から離れるように傾斜した第１斜面２１ａを有する。支持ステージ３に対する第１斜面２１ａの傾斜角はθ２である。
第１光調整部材２１Ｂの第１斜面２１ａと、第１光調整部材２１Ａの第１斜面２１ａとは、Ｚ方向を対称軸とした線対称の関係にある。第１光調整部材２１Ｂの第１斜面２１ａと支持ステージ３とがなす角度（傾斜角）は、θ２であり、第１光調整部材２１Ａの第１斜面２１ａと支持ステージ３とがなす角度（傾斜角）と同じである。
【００６０】
媒体Ｍの第１端部８１Ｂに対してＸ（−）方向側に配置される第１光調整部材２１Ｂの第１斜面２１ａは、光Ｌ２，Ｌ３が支持ステージ３によって反射され、光Ｌ２，Ｌ３の反射光が記録ヘッド８のノズル形成面８ａに入射しないように、光Ｌ２，Ｌ３を遮る。
換言すれば、本実施形態は、光Ｌは、強度が最大である光Ｌ１（第１の光）と、強度が光Ｌ１の強度の半分である光Ｌ２（第２の光）と、強度が光Ｌ１の強度と光Ｌ２の強度との間にある光Ｌ３（第３の光）とを有し、第１光調整部材２１Ｂの第１斜面２１ａは、光Ｌ１と光Ｌ２と光Ｌ３とが、支持ステージ３によって反射され、記録ヘッド８のインクが吐出されるノズル形成面８ａに入射しないように、第１光調整部材２１Ｂの第１斜面２１ａは、光Ｌ１と光Ｌ２と光Ｌ３とを遮る構成を有している。
第１光調整部材２１Ｂの第１斜面２１ａは、第１光調整部材２１Ａの第１斜面２１ａと同様に、光Ｌを正反射可能な光反射面、または光Ｌを吸収する光吸収面である。
すなわち、第１光調整部材２１Ｂは、第１光調整部材２１Ａと同じ構成を有する。
【００６１】
第１光調整部材２１Ｂが第１光調整部材２１Ａと同じ構成を有すると、第１光調整部材２１Ｂは、第１光調整部材２１Ａと同じ効果を奏することができる。
すなわち、第１光調整部材２１Ｂの第１斜面２１ａが第１端部８１Ｂから遠ざかるに従い支持ステージ３から離れるように傾斜し、第１光調整部材２１Ｂの第１斜面２１ａが光Ｌを正反射可能な光反射面または光Ｌを吸収する光吸収面である場合、光Ｌが記録ヘッド８のノズル形成面８ａに入射しにくくなり、光Ｌが記録ヘッド８のノズル形成面８ａに入射し、ノズル形成面８ａでインクが硬化し、硬化したインクによってノズルが閉塞され、ノズルからインクが吐出されなくなるという不具合を抑制することができる。
【００６２】
さらに、第１光調整部材２１（２１Ａ，２１Ｂ）は、支持ステージ３に対して着脱可能である。
上述したように、媒体Ｍの大きさや媒体Ｍの厚さは多種多様である。記録装置１では、大きさや厚さが異なる多種多様の媒体Ｍに適した他の第１光調整部材が、予め準備されている。そして、媒体Ｍの大きさや媒体Ｍの厚さが変更されると、支持ステージ３に支持された第１光調整部材２１を、適正な他の第１光調整部材２１に交換する。
第１光調整部材２１が、支持ステージ３に対して着脱可能であると、支持ステージ３に支持された第１光調整部材２１を他の第１光調整部材２１に容易に交換することができる。媒体Ｍの大きさや媒体Ｍの厚さが変更され、支持ステージ３に支持された第１光調整部材２１を、適正な他の第１光調整部材２１に交換することによって、適正に光Ｌの悪影響を抑制することができる。
【００６３】
「第１斜面の傾斜角」
図７乃至図１０は、図５に対応する図であり、第１斜面によって反射される光の状態を示す模式図である。すなわち、図７乃至図１０では、第１斜面２１ａによって反射される光Ｌ２状態が図示されている。
図７乃至図１０では、支持ステージ３と照射装置９Ｂと光源１０Ｂと記録ヘッド８と第１斜面２１ａとが図示され、他の構成要素の図示が省略され、さらに、光軸Ｋに加えて、第１斜面２１ａに直交する直交軸ＯＡが一点鎖線で図示されている。また、媒体Ｍの第１端部８１Ａ（図５参照（図７乃至図１０では図示省略））は光軸Ｋに沿って配置されるものとする。
また、光源１０Ｂは点Ｐ１に配置され、点Ｐ１（光源１０Ｂ）から照射される光Ｌ２は、第１斜面２１ａの点Ｐ２で反射され、点Ｐ３に向かうものとする。さらに、点Ｐ２と点Ｐ３とを結ぶ線（以降、線分Ｐ２Ｐ３と称す）は光Ｌ２の反射光が進行する方向に対応し、点Ｐ４と点Ｐ５とを結ぶ線（線分Ｐ４Ｐ５）は第１斜面２１ａに対応する。
次に、図７乃至図１０を参照し、第１斜面２１ａによって反射された光Ｌ２が記録ヘッド８のノズル形成面８ａに入射しにくくすることを可能にする、第１斜面２１ａの傾斜角θ２の条件について説明する。また、第１斜面２１ａは、光Ｌを正反射可能な光反射面であるとする。
【００６４】
図７に示すように、光Ｌ２は第１斜面２１ａによってＺ（＋）方向に反射される。このため、光軸Ｋと線分Ｐ２Ｐ３（光Ｌ２が反射される方向）とは平行であり、光軸Ｋ（線分Ｐ１Ｐ４）と線分Ｐ１Ｐ２とがなす角度と、線分Ｐ１Ｐ２と線分Ｐ２Ｐ３とがなす角度とは等しく、共にθ１である。直交軸ＯＡと線分Ｐ１Ｐ２とがなす角度と、直交軸ＯＡと線分Ｐ２Ｐ３とがなす角度とは等しく、共にθ１／２である。
光軸Ｋと支持ステージ３とがなす角度は９０度であり、線分Ｐ２Ｐ４と支持ステージ３とがなす角度は傾斜角θ２であるので、光軸Ｋと線分Ｐ２Ｐ４（第１斜面２１ａ）とがなす角度は、９０度から傾斜角θ２を差し引いた「９０度−θ２」である。直交軸ＯＡと線分Ｐ２Ｐ４とがなす角度は９０度であり、直交軸ＯＡと線分Ｐ１Ｐ２とがなす角度はθ１／２であるので、線分Ｐ１Ｐ２と線分Ｐ２Ｐ４（第１斜面２１ａ）とがなす角度は９０度から角度θ１／２を差し引いた「９０度−θ１／２」である。
三角形Ｐ１Ｐ２Ｐ４の内角の合計は１８０度であるので、光軸Ｋと線分Ｐ１Ｐ２とがなす角度（θ１）と、光軸Ｋと線分Ｐ２Ｐ４とがなす角度（９０度−θ２）と、線分Ｐ１Ｐ２と線分Ｐ２Ｐ４とがなす角度（９０度−θ１／２）との合計は１８０度であり、下記に示す（１）式の関係が成り立つ。
（θ１）＋（９０度−θ２）＋（９０度−θ１／２）＝１８０度  （１）
従って、第１光調整部材２１Ａの第１斜面２１ａの傾斜角θ２（線分Ｐ２Ｐ４と支持ステージ３とがなす角度）は、下記に示す（２）式で表される。
θ２＝θ１／２  （２）
【００６５】
このように、第１斜面２１ａの傾斜角θ２がθ１／２であるという関係が成り立つ場合、第１斜面２１ａによって反射された光Ｌ２は、Ｚ（＋）方向（光軸Ｋ）に沿って進行し、記録ヘッド８のノズル形成面８ａに入射しにくくなる。
すなわち、最も不具合が生じやすい位置に光源１０が配置される場合、第１斜面２１ａの傾斜角θ２がθ１／２であるという関係が成り立つと、第１斜面２１ａは光ＬをＺ（＋）方向（第３方向）に反射し、光Ｌ２は記録ヘッド８のノズル形成面８ａに入射しにくくなる。
【００６６】
図８に示すように、図７に示す状態（第１斜面２１ａが図中に破線で示される状態である場合）と比べて、支持ステージ３に対する第１斜面２１ａの傾斜が緩傾斜になると、第１斜面２１ａによって反射された光Ｌ２はＸ（＋）方向側（記録ヘッド８が配置される側）に進行し、第１斜面２１ａによって反射された光Ｌ２は、記録ヘッド８のノズル形成面８ａに入射しやすくなる。
図９に示すように、図７に示す状態（第１斜面２１ａが図中に破線で示される状態である場合）と比べて、支持ステージ３に対する第１斜面２１ａの傾斜が急傾斜になると、第１斜面２１ａによって反射された光Ｌ２はＸ（−）方向側（記録ヘッド８が配置される側と反対側）に進行し、第１斜面２１ａによって反射された光Ｌ２は、記録ヘッド８のノズル形成面８ａに入射しにくくなる。
すなわち、最も不具合が生じやすい位置に光源１０が配置される場合、図７に示す状態と比べて、支持ステージ３に対する第１斜面２１ａの傾斜が急傾斜になると、第１斜面２１ａは光ＬをＸ（−）方向（第２方向の上流側）に反射し、光Ｌ２は記録ヘッド８のノズル形成面８ａに入射しにくくなる。
図１０に示すように、支持ステージ３に対する第１斜面２１ａの傾斜角θ２が９０度よりも大きくなると、第１斜面２１ａによって反射された光Ｌ２はＸ（＋）方向側（記録ヘッド８が配置される側）に進行し、第１斜面２１ａによって反射された光Ｌ２は、記録ヘッド８のノズル形成面８ａに入射しやすくなる。
従って、第１光調整部材２１Ａの第１斜面２１ａによって反射された光Ｌ２が、記録ヘッド８のノズル形成面８ａに入射しにくくするためには、第１光調整部材２１Ａの第１斜面２１ａの傾斜角θ２は、θ１／２を含み、θ１／２よりも大きく９０度よりも小さいことが好ましい。すなわち、支持ステージ３に対する第１斜面２１ａの傾斜角θ２は、θ１／２から９０度までの範囲にあることが好ましい。
第１斜面２１ａは、傾斜角θ２がθ１／２から９０度までの範囲にある平面であることが好ましい。なお、第１斜面２１ａは、平面であることに限定されず、光ＬをＸ（−）方向側（記録ヘッド８が配置される側と反対側）に反射可能であれば、例えば曲面であってもよく、例えば部分的に曲面を有する平面であってもよい。
【００６７】
なお、媒体Ｍと第１光調整部材２１との間に隙間があり、媒体Ｍと第１光調整部材２１との間で支持ステージ３が露出する場合、光Ｌは、媒体Ｍと第１光調整部材２１との間で露出した支持ステージ３によって反射され、当該光Ｌの反射光が記録ヘッド８のノズル形成面８ａに入射するおそれがある。さらに、媒体Ｍと第１光調整部材２１との間に隙間が広くなると、支持ステージ３によって反射される光Ｌの反射光の強度が強くなり、媒体Ｍと第１光調整部材２１との間に隙間が狭くなると、支持ステージ３によって反射される光Ｌの反射光の強度が弱くなる。
このため、媒体Ｍと第１光調整部材２１との間で露出した支持ステージ３によって反射される光Ｌの影響を弱くするためには、媒体Ｍと第１光調整部材２１との間に隙間は狭い方が好ましい。媒体Ｍと第１光調整部材２１との間で露出した支持ステージ３によって反射される光Ｌの影響をさらに弱くするためには、媒体Ｍと第１光調整部材２１との間に隙間が生じないように、第１光調整部材２１が、媒体Ｍの第１端部８１に隣接するように配置されることがより好ましい。
【００６８】
なお、光Ｌ１や光Ｌ３は、光Ｌ２と比べて、光軸Ｋとなす角度が小さい。光軸Ｋとなす角度が小さくなると、光Ｌ１，Ｌ３が反射される第１斜面２１ａの位置は、光Ｌ２が反射される第１斜面２１ａの位置（点Ｐ２）よりも、Ｘ（−）方向側、すなわち、記録ヘッド８から遠くなる側に配置される。このため、第１斜面２１ａによって反射される光Ｌ１，Ｌ３の経路は、第１斜面２１ａによって反射される光Ｌ２の経路よりも、記録ヘッド８から遠くなる側に配置される。よって、第１斜面２１ａによって反射される光Ｌ２が記録ヘッド８のノズル形成面８ａに入射しにくくなると、第１斜面２１ａによって反射される光Ｌ１，Ｌ３も記録ヘッド８のノズル形成面８ａに入射しにくくなる。
従って、支持ステージ３に対する第１斜面２１ａの傾斜角θ２がθ１／２から９０度までの範囲にある場合、光Ｌ２に加えて、光Ｌ１，Ｌ３も記録ヘッド８のノズル形成面８ａに入射しにくくなる。
【００６９】
「第２光調整部材の概要」
図１１及び図１２は、図１をＹ方向に沿って切断した断面図であり、第２光調整部材の状態を示す模式図である。詳しくは、図１１は、媒体Ｍの第２端部８２Ａに隣り合う第２光調整部材２２Ａの状態を示す模式図である。図１２は、媒体Ｍの第２端部８２Ｂに隣り合う第２光調整部材２２Ｂの状態を示す模式図である。
さらに、図１１及び図１２では光Ｌ２が図示され、光Ｌ１，Ｌ３の図示が省略されている。
次に、図１１及び図１２を参照し、第２光調整部材２２（２２Ａ，２２Ｂ）の概要について説明する。
なお、記録ヘッド８と照射装置９とは、主走査方向（Ｘ方向）に沿って配置されるので照射装置９のＹ方向の位置と記録ヘッド８のＹ方向の位置とは同等とみなすことができる。このため、図１１及び図１２では、照射装置９と記録ヘッド８とは同じ位置に図示されている。
【００７０】
図１１に示すように、媒体Ｍの第２端部８２Ａに対して、Ｙ（＋）方向側には、媒体Ｍの第２端部８２Ａに隣り合うように第２光調整部材２２Ａが配置されている。第２光調整部材２２Ａは、Ｘ方向に延在する長尺部材であり（図１参照）、第２光調整部材２２Ａの断面は三角形状である。第２光調整部材２２Ａの構成材料は、例えば、アクリル樹脂である。第２光調整部材２２Ａは、媒体Ｍの第２端部８２Ａに近い側に第２斜面２２ａを有する。第２斜面２２ａは、第２端部８２Ａから遠ざかるに従い支持ステージ３に近付くように傾斜している。
換言すれば、記録装置１は、媒体Ｍの第２端部８２Ａに隣り合い、Ｘ方向に延在し支持ステージ３に支持される第２光調整部材２２Ａを有し、第２光調整部材２２Ａは、第２端部８２Ａから遠ざかるに従い支持ステージ３に近付くように傾斜した第２斜面２２ａを有する。
第１光調整部材２１Ａの第１斜面２１ａは、第１端部８１Ａから遠ざかるに従い支持ステージ３から離れるように傾斜している。一方、第２光調整部材２２Ａの第２斜面２２ａは、第２端部８２Ａから遠ざかるに従い支持ステージ３に近付くように傾斜している。このように、第１光調整部材２１Ａの第１斜面２１ａと、第２光調整部材２２Ａの第２斜面２２ａとでは、傾斜の状態が異なる。
【００７１】
主走査と副走査とを繰り返し、照射装置９の光源１０（記録ヘッド８）が媒体Ｍの第２端部８２Ａに近くに配置される場合、図１１に示すように、光源１０から発せられる光Ｌ２（光Ｌ）は、第２光調整部材２２Ａの第２斜面２２ａによって、Ｙ（＋）方向側に反射される。すなわち、光源１０から発せられる光Ｌ２（光Ｌ）は、第２光調整部材２２Ａの第２斜面２２ａによって、記録ヘッド８から遠ざかる方向に反射される。また、図示を省略するが、光Ｌ３は、光Ｌ２と同様に、第２光調整部材２２Ａの第２斜面２２ａによって、記録ヘッド８から遠ざかる方向に反射される。
光源１０から発せられる光Ｌ（光Ｌ２，Ｌ３）は、記録ヘッド８から遠ざかる方向に反射されるので、光源１０から発せられる光Ｌが記録ヘッド８に近付く方向に反射される場合と比べて、光Ｌが記録ヘッド８のノズル形成面８ａに入射しにくくなる。
【００７２】
図１２に示すように、媒体Ｍの第２端部８２Ｂに対して、Ｙ（−）方向側には、媒体Ｍの第２端部８２Ｂに隣り合うように第２光調整部材２２Ｂが配置されている。第２光調整部材２２Ｂは、Ｘ方向に延在する長尺部材であり（図１参照）、第２光調整部材２２Ｂの断面は三角形状である。第２光調整部材２２Ｂの構成材料は、例えば、アクリル樹脂である。第２光調整部材２２Ｂは、媒体Ｍの第２端部８２Ｂに近い側に第２斜面２２ａを有する。第２斜面２２ａは、第２端部８２Ｂから遠ざかるに従い支持ステージ３に近付くように傾斜している。
換言すれば、記録装置１は、媒体Ｍの第２端部８２Ｂに隣り合い、Ｘ方向に延在し支持ステージ３に支持される第２光調整部材２２Ｂを有し、第２光調整部材２２Ｂは、第２端部８２Ｂから遠ざかるに従い支持ステージ３に近付くように傾斜した第２斜面２２ａを有する。
【００７３】
照射装置９の光源１０（記録ヘッド８）が媒体Ｍの第２端部８２Ｂの近くに配置される場合、図１２に示すように、光源１０から発せられる光Ｌ２（光Ｌ）は、第２光調整部材２２Ｂの第２斜面２２ａによって、Ｙ（−）方向側に反射される。すなわち、光源１０から発せられる光Ｌ２（光Ｌ）は、第２光調整部材２２Ｂの第２斜面２２ａによって、記録ヘッド８から遠ざかる方向に反射される。また、図示を省略するが、光Ｌ３は、光Ｌ２と同様に、第２光調整部材２２Ｂの第２斜面２２ａによって、記録ヘッド８から遠ざかる方向に反射される。
光源１０から発せられる光Ｌ（光Ｌ２，Ｌ３）は、記録ヘッド８から遠ざかる方向に反射されるので、光源１０から発せられる光Ｌが記録ヘッド８に近付く方向に反射される場合と比べて、光Ｌが記録ヘッド８のノズル形成面８ａに入射しにくくなる。
このように、第２光調整部材２２（２２Ａ，２２Ｂ）の第２斜面２２ａは、光源１０から発せられる光Ｌを、記録ヘッド８から遠ざかる方向に反射する役割を有している。第２光調整部材２２を設けることによって、光源１０から発せられる光Ｌは、記録ヘッド８から遠ざかる方向に反射されるので、光Ｌが記録ヘッド８のノズル形成面８ａに入射しにくくなる。
【００７４】
以上述べたように、媒体Ｍの第１端部８１に隣り合い、Ｙ方向に延在し支持ステージ３に支持される第１光調整部材２１Ａ，２１Ｂを設け、第１光調整部材２１Ａ，２１Ｂが第１端部８１から遠ざかるに従い支持ステージ３から離れるように傾斜した第１斜面２１ａを有することによって、光源１０から発せられる光Ｌが記録ヘッド８のノズル形成面８ａに入射しにくくなる。
さらに、媒体Ｍの第２端部８２に隣り合い、Ｘ方向に延在し支持ステージ３に支持される第２光調整部材２２Ａ，２２Ｂを設け、第２光調整部材２２Ａ，２２Ｂが第２端部８２から遠ざかるに従い支持ステージ３に近付くように傾斜した第２斜面２２ａを有することによって、光源１０から発せられる光Ｌが記録ヘッド８のノズル形成面８ａに入射しにくくなる。
従って、光Ｌが記録ヘッド８のノズル形成面８ａに入射し、ノズル形成面８ａでインクが硬化し、硬化したインクによってノズルが閉塞され、ノズルからインクが吐出されなくなるという不具合を抑制することができる。
【００７５】
（実施形態２）
図１３は、図５に対応する図であり、実施形態２に係る記録装置に搭載される第１光調整部材の状態を示す模式図である。図１４は、図６に対応する図であり、本実施形態に係る記録装置に搭載される第１光調整部材の状態を示す模式図である。
第１光調整部材の構成が本実施形態と実施形態１とで異なる。詳しくは、本実施形態では、媒体Ｍの第１端部８１に隣り合うように複数の第１光調整部材２１０が配置されている。実施形態１では、媒体Ｍの第１端部８１に隣り合うように単数の第１光調整部材２１が配置されている。さらに、第１光調整部材の形状も、本実施形態と実施形態１とで異なる。これらの点が、本実施形態に係る記録装置と実施形態１に係る記録装置１との主な相違点である。
以下、図１３及び図１４を参照し、本実施形態に係る記録装置の概要を、実施形態１との相違点を中心に説明する。また、実施形態１と同一の構成部位については、同一の符号を附し、重複する説明を省略する。
【００７６】
図１３に示すように、媒体Ｍの第１端部８１Ａに対してＸ（＋）方向側には、第１光調整部材２１０Ａが、媒体Ｍの第１端部８１Ａに隣り合うように配置されている。第１光調整部材２１０Ａは、Ｙ方向に延在する長尺部材であり、第１光調整部材２１０Ａ１と第１光調整部材２１０Ａ２と第１光調整部材２１０Ａ３とで構成される。第１光調整部材２１０Ａ１と第１光調整部材２１０Ａ２と第１光調整部材２１０Ａ３とは、Ｘ（＋）方向に沿って順に配置される。媒体Ｍの第１端部８１Ａに隣り合うように第１光調整部材２１０Ａ１が配置され、第１光調整部材２１０Ａ１に隣り合うように第１光調整部材２１０Ａ２が第１光調整部材２１０Ａ１のＸ（＋）方向側に配置され、第１光調整部材２１０Ａ２に隣り合うように第１光調整部材２１０Ａ３が第１光調整部材２１０Ａ２のＸ（＋）方向側に配置されている。
このように、本実施形態は、第１光調整部材２１０が、Ｘ方向（第２方向）に沿って複数配置される構成を有している。なお、本実施形態では、第１光調整部材２１０Ａは、三つの第１光調整部材２１０Ａ１，２１０Ａ２，２１０Ａ３で構成されているが、第１光調整部材２１０Ａを構成する光調整部材の数は三つに限定されず、三つよりも少なくてもよいし、三つよりも多くてもよい。
【００７７】
実施形態１に係る第１光調整部材２１Ａは断面が三角形状の部材であったが、本実施形態に係る第１光調整部材２１０Ａ（第１光調整部材２１０Ａ１，２１０Ａ２，２１０Ａ３）は断面が矩形状の板状の部材である。第１光調整部材２１０Ａ（第１光調整部材２１０Ａ１，２１０Ａ２，２１０Ａ３）は、媒体Ｍの第１端部８１Ａに近い側に第１斜面２１ａを有する。第１斜面２１ａは、第１端部８１Ａから遠ざかるに従い支持ステージ３から離れるように傾斜している。すなわち、第１光調整部材２１０Ａ（第１光調整部材２１０Ａ１，２１０Ａ２，２１０Ａ３）は、第１端部８１Ａから遠ざかるに従い支持ステージ３から離れるように傾斜した第１斜面２１ａを有する。支持ステージ３に対する第１斜面２１ａの傾斜角はθ２である。
【００７８】
図１４に示すように、媒体Ｍの第１端部８１Ｂに対してＸ（−）方向側には、第１光調整部材２１０Ｂが、媒体Ｍの第１端部８１Ｂに隣り合うように配置されている。第１光調整部材２１０Ｂは、Ｙ方向に延在する長尺部材であり、第１光調整部材２１０Ｂ１と第１光調整部材２１０Ｂ２と第１光調整部材２１０Ｂ３とで構成される。第１光調整部材２１０Ｂ１と第１光調整部材２１０Ｂ２と第１光調整部材２１０Ｂ３とは、Ｘ（−）方向に沿って順に配置される。媒体Ｍの第１端部８１Ｂに隣り合うように第１光調整部材２１０Ｂ１が配置され、第１光調整部材２１０Ｂ１に隣り合うように第１光調整部材２１０Ｂ２が第１光調整部材２１０Ｂ１のＸ（−）方向側に配置され、第１光調整部材２１０Ｂ２に隣り合うように第１光調整部材２１０Ｂ３が第１光調整部材２１０Ｂ２のＸ（−）方向側に配置されている。
このように、本実施形態は、第１光調整部材２１０が、Ｘ方向（第２方向）に沿って複数配置される構成を有している。なお、本実施形態では、第１光調整部材２１０Ｂは、三つの第１光調整部材２１０Ｂ１，２１０Ｂ２，２１０Ｂ３で構成されているが、第１光調整部材２１０Ｂを構成する光調整部材の数は三つに限定されず、三つよりも少なくてもよいし、三つよりも多くてもよい。
【００７９】
第１光調整部材２１０Ｂ（第１光調整部材２１０Ｂ１，２１０Ｂ２，２１０Ｂ３）は断面が矩形状の板状の部材であり、第１光調整部材２１０Ａ（第１光調整部材２１０Ａ１，２１０Ａ２，２１０Ａ３）と同じ形状を有している。第１光調整部材２１０Ｂ（第１光調整部材２１０Ｂ１，２１０Ｂ２，２１０Ｂ３）は、媒体Ｍの第１端部８１Ｂに近い側に第１斜面２１ａを有する。第１斜面２１ａは、第１端部８１Ｂから遠ざかるに従い支持ステージ３から離れるように傾斜している。すなわち、第１光調整部材２１０Ｂ（第１光調整部材２１０Ｂ１，２１０Ｂ２，２１０Ｂ３）は、第１端部８１Ｂから遠ざかるに従い支持ステージ３から離れるように傾斜した第１斜面２１ａを有する。支持ステージ３に対する第１斜面２１ａの傾斜角はθ２である。
【００８０】
媒体Ｍの大きさや媒体Ｍの厚さは多種多様である。本実施形態では、Ｚ方向の長さが長い媒体Ｍが使用されている。そして、第１光調整部材２１０Ａ，２１０Ｂ（第１光調整部材２１０）は、媒体Ｍと比べて、Ｚ方向の長さが短くなっている。
上述したように、支持ステージ３に搭載された媒体Ｍと記録ヘッド８のノズル形成面８ａとの間隔が所定の間隔になるように、プラテンギャップ（支持ステージ３と記録ヘッド８のノズル形成面８ａとの間隔）が調整されている。例えば、Ｚ方向の長さが短い媒体Ｍが使用される場合、プラテンギャップが小さくなるように調整され、Ｚ方向の長さが長い媒体Ｍが使用される場合に、プラテンギャップが大きくなるように調整される。
このため、Ｚ方向の長さが長い媒体Ｍが使用される場合、Ｚ方向の長さが短い媒体Ｍが使用される場合と比べて、記録ヘッド８は支持ステージ３から離れて配置され、照射装置９（光源１０）も支持ステージ３から離れて配置される。
【００８１】
光Ｌ（光Ｌ２）は光源１０から放射線状に広がる拡散光であるので、光源１０が支持ステージ３から離れて配置されると、光源１０から発せられる光Ｌ（光Ｌ２）は支持ステージ３に対してより広範囲に照射されるようになる。第１光調整部材２１０は、光源１０の光Ｌが支持ステージ３に達しないように、光源１０の光Ｌを遮る役割を有するので、光源１０が支持ステージ３から離れて配置されると、第１光調整部材２１０が光Ｌを遮る領域を広くする必要がある。
【００８２】
例えば、媒体Ｍの第１端部８１に対してＸ方向側に、一つの第１光調整部材２１０が配置される場合（実施形態１の構成である場合）、光源１０が支持ステージ３から離れて配置されると、第１光調整部材２１０のＺ方向の長さを長くすることによって、第１光調整部材２１０が光Ｌを遮る領域を広くすることができる。ところが、第１光調整部材２１０のＺ方向の長さが長くなると、外力によって変形しやすくなり、Ｚ方向の長さが長い第１光調整部材２１０を適正に取付けることが難しくなる。
【００８３】
本実施形態では、Ｚ方向の長さが短い第１光調整部材２１０を、媒体Ｍの第１端部８１に対してＸ方向側に複数配置し、第１光調整部材２１０が光Ｌを遮る領域を広くしている。さらに、第１光調整部材２１０の数を多くすると、第１光調整部材２１０が光Ｌを遮る領域をさらに広くすることができる。すなわち、第１光調整部材２１０の数によって、第１光調整部材２１０が光Ｌを遮る領域を調整することができる。
その結果、Ｚ方向の長さが長い場合と同様に、第１光調整部材２１０は、光源１０の光Ｌが支持ステージ３に達しないように、光源１０の光Ｌを遮り、光Ｌが記録ヘッド８のノズル形成面８ａに入射しにくくすることができる。
従って、光Ｌが記録ヘッド８のノズル形成面８ａに入射し、ノズル形成面８ａでインクが硬化し、硬化したインクによってノズルが閉塞され、ノズルからインクが吐出されなくなるという不具合を抑制することができる。
加えて、Ｚ方向の長さが短くなると、Ｚ方向の長さが長い場合と比べて、第１光調整部材２１０は、軽量で変形しにくくなるので、取り扱いが容易になり、適正に取り付けやすくなるという効果を得ることができる。
【００８４】
（実施形態３）
図１５は、図５に対応する図であり、実施形態３に係る記録装置に搭載される第１光調整部材の状態を示す模式図である。図１６は、図６に対応する図であり、本実施形態に係る記録装置に搭載される第１光調整部材の状態を示す模式図である。
本実施形態の第１光調整部材１１は、支持ステージ３に対する第１斜面２１ａの傾斜角θ２が調整可能（変更可能）になっている。実施形態１の第１光調整部材２１は、支持ステージ３に対する第１斜面２１ａの傾斜角θ２は一定であり、変化しない。この点が、本実施形態と実施形態１との主な相違点である。
以下、図１５及び図１６を参照し、本実施形態に係る記録装置の概要を、実施形態１との相違点を中心に説明する。また、実施形態１と同一の構成部位については、同一の符号を附し、重複する説明を省略する。
【００８５】
図１５に示すように、媒体Ｍの第１端部８１Ａに対してＸ（＋）方向側には、第１光調整部材１１Ａが、媒体Ｍの第１端部８１Ａに隣り合うように配置されている。第１光調整部材１１Ａは、Ｙ方向に延在する長尺部材であり、断面が矩形状の板状の部材である。一方、実施形態１に係る第１光調整部材２１Ａは断面が三角形状の部材である。この点も本実施形態と実施形態１との相違点である。
第１光調整部材１１Ａは、媒体Ｍの第１端部８１Ａに近い側に第１斜面２１ａを有する。第１斜面２１ａは、第１端部８１Ａから遠ざかるに従い支持ステージ３から離れるように傾斜している。すなわち、第１光調整部材１１Ａは、第１端部８１Ａから遠ざかるに従い支持ステージ３から離れるように傾斜した第１斜面２１ａを有する。支持ステージ３に対する第１斜面２１ａの傾斜角はθ２である。
【００８６】
図１６に示すように、媒体Ｍの第１端部８１Ｂに対してＸ（−）方向側には、第１光調整部材１１Ｂが、媒体Ｍの第１端部８１Ｂに隣り合うように配置されている。第１光調整部材１１Ｂは、Ｙ方向に延在する長尺部材であり、断面が矩形状の板状の部材である。
第１光調整部材１１Ｂは、媒体Ｍの第１端部８１Ｂに近い側に第１斜面２１ａを有する。第１斜面２１ａは、第１端部８１Ｂから遠ざかるに従い支持ステージ３から離れるように傾斜している。すなわち、第１光調整部材１１Ｂは、第１端部８１Ｂから遠ざかるに従い支持ステージ３から離れるように傾斜した第１斜面２１ａを有する。支持ステージ３に対する第１斜面２１ａの傾斜角はθ２である。
【００８７】
本実施形態では、支持ステージ３に対する第１斜面２１ａの傾斜角θ２は、θ１／２を含み、θ１／２から９０度までの範囲で調整可能（変更可能）である。換言すれば、光Ｌが記録ヘッド８のノズル形成面８ａに入射しにくくなる範囲で、支持ステージ３に対する第１斜面２１ａの傾斜角θ２は変更可能である。
さらに、支持ステージ３に対する第１斜面２１ａの傾斜角θ２を変更することによって、第１光調整部材１１Ａ，１１ＢのＺ方向の長さを変更（調整）することができる。
【００８８】
上述したように、媒体ＭのＺ方向の長さが長くなると、プラテンギャップを大きくし、光源１０及び記録ヘッド８を支持ステージ３から遠ざける必要がある。媒体ＭのＺ方向の長さが短くなると、プラテンギャップを小さくし、光源１０及び記録ヘッド８を支持ステージ３に近付ける必要がある。
光Ｌ２（光Ｌ）は光源１０から放射線状に広がる拡散光であるので、媒体ＭのＺ方向の長さが長くなり、光源１０が支持ステージ３から遠ざかると、光源１０から発せられる光Ｌ２は支持ステージ３に対してより広範囲に照射されるようになる。このため、光Ｌが記録ヘッド８のノズル形成面８ａに入射しないようにするためには、第１光調整部材１１Ａ，１１Ｂは光Ｌをより広範囲に遮る必要がある。
このため、媒体ＭのＺ方向の長さが長くなり、光源１０が支持ステージ３から遠ざかると、第１光調整部材１１Ａ，１１ＢのＺ方向の長さを長くし、第１光調整部材１１Ａ，１１Ｂが光Ｌを遮る領域を広くする必要がある。
一方、媒体ＭのＺ方向の長さが短くなり、光源１０及び記録ヘッド８が支持ステージ３に近付くと、記録ヘッド８と第１光調整部材１１Ａ，１１Ｂとが干渉しないように、第１光調整部材１１Ａ，１１ＢのＺ方向の長さを短くする必要がある。
このように、媒体ＭのＺ方向の長さが変化すると、媒体ＭのＺ方向の長さに応じて、第１光調整部材１１Ａ，１１ＢのＺ方向の長さを適正に調整する必要がある。
【００８９】
例えば、実施形態１の構成である場合、すなわち、第１斜面２１ａの傾斜角θ２が一定である場合、Ｚ方向の長さが異なる第１光調整部材を予め準備し、媒体ＭのＺ方向の長さが変化すると、適正なＺ方向の長さの第１光調整部材に交換する必要がある。
本実施形態では、支持ステージ３に対する第１斜面２１ａの傾斜角θ２を調整すると、第１光調整部材１１Ａ，１１ＢのＺ方向の長さを調整できるので、媒体ＭのＺ方向の長さが変化しても、適正なＺ方向の長さの第１光調整部材に交換する必要がなく、第１斜面２１ａの傾斜角θ２を調整することによって、第１光調整部材１１Ａ，１１ＢのＺ方向の長さを調整すればよい。
従って、Ｚ方向の長さが異なる第１光調整部材を予め準備する必要が無くなくなり、Ｚ方向の長さが異なる第１光調整部材を予め準備する費用を削減することができる。さらに、第１斜面２１ａの傾斜角θ２を変更することによって、第１光調整部材１１Ａ，１１ＢのＺ方向の長さを調整できるので、第１光調整部材を交換することによって第１光調整部材のＺ方向の長さの調整する場合と比べて、容易に第１光調整部材１１Ａ，１１ＢのＺ方向の長さを調整することができ、調整作業の効率化を図ることができる。
【００９０】
本発明は、上記実施形態に限られるものではなく、請求の範囲及び明細書全体から読み取れる発明の要旨あるいは思想に反しない範囲で適宜変更可能であり、上記実施形態以外にも様々な変形例が考えられる。以下、変形例を挙げて説明する。
【００９１】
（変形例１）
実施形態１では、第１光調整部材の断面は三角形状であり、実施形態２及び実施形態３では、第１光調整部材の断面が矩形状の板部材であるが、第１光調整部材の断面が三角形状や矩形状であることに限定されない。
例えば、第１光調整部材は、第１端部８１から遠ざかるに従い支持ステージ３から離れるように傾斜した第１斜面２１ａを有していればよく、第１光調整部材の断面は、例えば多角形であってもよく、例えばＬ字形状であってもよい、例えば曲線を有する形状（楕円形状など）であってもよい。
【００９２】
（変形例２）
上述した実施形態では、媒体Ｍの第２端部８２Ａに対してＹ（＋）方向側に、単数の第２光調整部材２２Ａが配置され、媒体Ｍの第２端部８２Ｂに対して、Ｙ（−）方向側に、単数の第２光調整部材２２Ｂが配置されていた。
第２光調整部材２２Ａ，２２Ｂの数は単数に限定されず、複数であってもよい。すなわち、媒体Ｍの第２端部８２Ａに隣り合うように、複数の第２光調整部材２２ＡがＹ（＋）方向に沿って配置され、媒体Ｍの第２端部８２Ｂに隣り合うように、複数の第２光調整部材２２ＢがＹ（−）方向に沿って配置される構成であってもよい。
【００９３】
（変形例３）
上述した実施形態では、第１光調整部材２１及び第２光調整部材２２の構成材料は、アクリル樹脂であったが、第１光調整部材２１及び第２光調整部材２２がアクリル樹脂で構成されることに限定されない。第１光調整部材２１及び第２光調整部材２２の構成材料は、例えば金属でもよく、例えばセラミックでもよく、例えばアクリル樹脂と異なる樹脂であってもよい。
第１光調整部材２１及び第２光調整部材２２を、アルミニウムなどの光反射材料で構成すると、アクリル樹脂で構成される場合と比べて、第１斜面２１ａ及び第２斜面２２ａの反射率を高めることができる。
【００９４】
（変形例４）
上述した実施形態では、記録ユニット６（記録ヘッド８、照射装置９）がＸ方向及びＹ方向に移動したが、この構成に限定されない。例えば、記録ユニット６がＸ方向に移動し、媒体ＭがＹ方向に移動する構成であってもよく、例えば、媒体ＭがＸ方向及びＹ方向に移動する構成であってもよい。すなわち、記録ユニット６及び媒体Ｍが、Ｘ方向及びＹ方向に相対移動可能な構成を有していればよい。
【符号の説明】
【００９５】
１…記録装置、３…支持ステージ、５…記録部、６…記録ユニット、７…主走査移動部、８…記録ヘッド、９，９Ａ，９Ｂ…照射装置、１０，１０Ａ，１０Ｂ…光源、２１，２１Ａ，２１Ｂ…第１光調整部材、２１ａ…第１斜面、２２，２２Ａ，２２Ｂ…第２光調整部材、２２ａ…第２斜面、３０…インクカートリッジ、３１…媒体支持面、３３…脚部、５０…ハウジング部材、６１…キャリッジ、８１，８１Ａ，８１Ｂ…第１端部、８２，８２Ａ，８２Ｂ…第２端部。
【図１】
2019084802.tif 000003
【図２】
2019084802.tif 000004
【図３】
2019084802.tif 000005
【図４】
2019084802.tif 000006
【図５】
2019084802.tif 000007
【図６】
2019084802.tif 000008
【図７】
2019084802.tif 000009
【図８】
2019084802.tif 000010
【図９】
2019084802.tif 000011
【図１０】
2019084802.tif 000012
【図１１】
2019084802.tif 000013
【図１２】
2019084802.tif 000014
【図１３】
2019084802.tif 000015
【図１４】
2019084802.tif 000016
【図１５】
2019084802.tif 000017
【図１６】
2019084802.tif 000018